(57)【要約】  【課題】転写対象面に転写作業をする際のスライド移動が安定し、且つ適切に転写作業を行えるようにホルダを形成した転写具を提供する。  【解決手段】ホルダ１に保持された転写ヘッド２１を、転写対象面Ｐに接触させて転写物Ｔを送り出す際に、転写対象面Ｐと接触する接地部１１ｂ、１２ｂを少なくとも２箇所に形成するとともに、ホルダ１に把持部１３を設ける。そして、前記接地部１１ｂ、１２ｂが、ホルダ１の把持部１３を外側面１１ａＹ、１２ａＹよりも外側方に形成した。【選択図】図８
2005067153.tif 000002
【特許請求の範囲】
【請求項１】
転写対象面に転写される転写物と、この転写物を保持するホルダと、該ホルダに支持されて転写物を保持するとともに外部へ送り出す送出部とを具備し、使用者が前記ホルダを手で持って転写対象面に対してスライド移動させる際に、転写対象面に接触して転写物を該転写対象面に転写する転写ヘッドを前記送出部に形成したものであって、
前記転写ヘッドを転写対象面に接触させて転写物を転写する際に、転写対象面と接触する接地部を前記ホルダに少なくとも２箇所形成していることを特徴とする転写具。
【請求項２】
前記ホルダに、転写物を転写対象面に転写する使用時に使用者が把持し得る把持部を形成している請求項１記載の転写具。
【請求項３】
前記接地部を、ホルダにおいて前記把持部の外側面よりも外側方に形成している請求項２の転写具。
【請求項４】
前記転写ヘッドをホルダのスライド方向に沿った一端部側に配置し、他端部に前記接地部を形成している請求項１、２又は３記載の転写具。
【請求項５】
前記接地部において転写対象面と接触する接地領域を、丸みを帯びた形状としている請求項１、２、３又は４記載の転写具。
【請求項６】
前記接地部をホルダに回転可能に取り付けた車輪としている請求項１、２、３又は４記載の転写具。
【請求項７】
ホルダにおいて、前記転写ヘッドと接地部との間の領域に、転写ヘッドと接地部とを転写対象面に接触させた状態で転写対象面から離間させた浮上部を形成している請求項１、２、３、４、５又は６記載の転写具。
【請求項８】
ホルダが、第１ホルダ要素及び第２ホルダ要素からなる半割構造を有するものであり、これら第１ホルダ要素と第２ホルダ要素との間に前記送出部を交換可能に支持している請求項１、２、３、４、５、６又は７記載の転写具。
【発明の詳細な説明】
【技術分野】
【０００１】
本発明は、転写物を転写対象面に転写する際に用いる転写具に関するものである。
【背景技術】
【０００２】
従来より、転写物を転写対象面に転写する際に用いる転写具が種々案出されている。ここで、転写物には、例えば、粘着テープや粘着性を有しないテープ等のテープ類、固体又は液体のり、接着剤等が挙げられる。このような転写物を転写するための転写具は、転写物を内部に保持するホルダと、ホルダに保持された転写物を転写対象面に送り出すための送出部とを備えているのが通例である。この送出部には、転写対象面に接触して転写物を転写対象面に転写する転写ヘッドが形成されている。すなわち、このような転写具は、使用者がホルダを手に持ち、転写対象面に転写ヘッドを接触させた状態で転写対象面上をスライド移動させることによって、転写物を転写対象面に転写するように構成されている。
【０００３】
一例として、修正テープを紙面に転写するための転写具について説明すると、この転写具は、転写物たる修正テープを紙面に対して送り出す転写ヘッドを備えた送出部と、送出部を支持するホルダとから構成されている。特に送出部は、修正テープと剥離テープと重ね合わせた状態で巻き付けて保持している送り出しローラと、送り出しローラから送出される修正テープ及び剥離テープを通過させ修正テープのみを紙面に転写する転写ヘッドと、転写ヘッドから剥離テープのみを巻き取って回収する巻き取りローラとを備えているのが一般的である。（例えば特許文献１参照）。そしてこの転写具は、使用者がホルダを手に持って、紙面に印字された又は書き込まれた文字等の上に転写ヘッドのみを接触させて所定方向にスライド移動させると、修正テープが順次送出部から送り出されて転写ヘッドから紙面に転写され文字等を覆い隠すようにして使用される。そして、転写終了時には、ホルダを持つ手に更に力を加え、転写ヘッドを紙面に対して更に強い力で押さえつけることで、テープを切断する。なお、このように紙面に転写された修正テープの上からは、改めて文字を書き込むことができ、誤った文字の修正を行うことができる。
【特許文献１】特開平１０−１８１９８５号公報（図４等）
【発明の開示】
【発明が解決しようとする課題】
【０００４】
ところが、このように使用者が転写具を手に持って転写作業を行う際には、転写対象面に対して転写ヘッドの先端のみが接触しており、使用者が手に持ったホルダは、転写対象面から上方に浮いた状態となっている。その際、使用者は手指の感覚のみで転写具を保持した状態で、転写対象面に対して転写ヘッドを押しつけるとともにホルダをスライド移動させる力を加えていることになる。そのため、修正テープを正確に紙面に転写するには、転写具の進行方向とそれに直交する方向への力をバランスよくホルダから転写ヘッドの先端に伝えなければならないが、上述のように転写ヘッドの先端のみが紙面に接触していることから、このバランスを上手くとることが極めて難しい。すなわち、使用者がホルダに加える力が弱ければ修正テープが紙面に転写されないので、使用者は必要以上に力を掛けて修正テープの転写作業を行いがちである。しかし、その力が強ければ転写作業中に修正テープが切れやすくなり、場合によっては、転写具の破損を招来しかねない。このような不具合は、修正テープ用の転写具に限った問題ではなく、上述したような種々の転写物を転写するための転写具全般について共通する問題である。
【０００５】
そこで本発明は、以上のような問題に鑑みて、転写物を転写対象面に対して軽い力で適切に転写することができる転写具を提供することを主たる目的としている。
【課題を解決するための手段】
【０００６】
すなわち本発明に係る転写具は、転写対象面に転写される転写物と、この転写物を保持するホルダと、該ホルダに支持されて転写物を保持するとともに外部へ送り出す送出部とを備え、使用者が前記ホルダを手に持って転写対象面に対してスライド移動させる際に、転写対象面に接触して転写物を転写対象面に転写する転写ヘッドを前記送出部に形成したものであって、この転写ヘッドを転写対象面に接触させて転写物を転写する際に、転写対象面と接触する接地部をホルダに少なくとも２カ所形成していることを特徴とするものである。
【０００７】
ここで、転写物には、粘着テープや粘着性を有しないテープ等のテープ類、固体又は液体のり、接着剤等が挙げられる。
【０００８】
このような転写具であれば、使用者がホルダを手に持って転写対象面に対してスライド移動させながら転写物を転写対象面に転写する際に、転写ヘッドに加えてホルダに形成した複数の接地部も転写対象面に接触することになる。すなわち、転写作業時における転写具の支持箇所が３箇所以上となるため、転写具は、これら３箇所以上の接触部位を全て含む面で支持させた状態で使用することができ、ホルダに加えた力も転写ヘッドに偏ることなく各接地部にも分散させることができる。そのため、転写具を転写対象面に対してスライド移動させる転写作業時には、そのスライド進行方向とそれに直交する方向への両方の力のバランスを取ることができる。その結果、転写ヘッドを転写対象面に対して適正に接触させることができることから、軽い力でホルダを押さえて使用しても、転写物を転写対象面に確実に転写することができ、転写ヘッド等の破損も防ぐことができる。
【０００９】
また、転写具のスライド移動時における適切な姿勢を維持し、より安定した転写作業を行い得るようにするためには、ホルダに、使用者が手で持ち得る把持部を形成することが好ましい。この場合、接地部を、ホルダにおける把持部の外側面よりも外側方に形成することで、転写具の使用時における姿勢をさらに安定化できることになる。
【００１０】
また、ホルダの進行方向に沿った一端部側に転写ヘッドを形成し、他端部に前記接地部を形成するように構成すれば、転写ヘッドと各接地部との距離を大きくとることができるので、転写具のさらに安定した使用姿勢を実現することができる。
【００１１】
また、転写具の転写対象面に対するスライド移動を、よりスムーズなものにするためには、接地部において転写対象面と接触する接地領域を、丸みを帯びた形状とすることが望ましい。
【００１２】
この他、接地部としては、ホルダに取り付けた回転可能な車輪を適用することもでき、このようにしても転写具のスムーズ且つ安定した操作性を確保できる。
【００１３】
さらに、ホルダにおいて、転写ヘッドと接地部との間の領域に、転写ヘッドと接地部を転写対象面に接触させた状態で、転写対象面から離間させた浮上部を形成するように構成すれば、転写作業時に転写ヘッドの移動方向における転写対象面が浮上部を通じて視認し得る状態となってホルダに隠されることがないので、転写対象面上の所望の箇所に連続して転写物を転写することができる。
【００１４】
ホルダを、第１ホルダ要素及び第２ホルダ要素からなる半割構造を有するものとして、これら第１ホルダ要素と第２ホルダ要素との間に前記送出部を交換可能に支持させれば、転写物を使用し終わった際に、転写物を備えた新しい送出部と容易に交換ができるため、構造の簡単化と省資源化にも寄与できることとなる。
【発明の効果】
【００１５】
以上に詳述したように、本発明の転写具によれば、転写対象面に転写物を転写する際に、ホルダに支持された送出部に形成した転写ヘッドのみを転写対象面に接触させるのではなく、ホルダの複数箇所に形成した接地部を転写対象面に接触させるように構成しているため、合計３箇所以上を転写対象面に接触させた状態で転写具をスムーズにスライド移動させることができる。従って、ホルダを持つ手に力を込めなくても転写具を極めて安定的な姿勢で使用することができ、その結果、転写物を転写対象面に適切に転写することが可能である。
【発明を実施するための最良の形態】
【００１６】
以下、本発明の一実施形態を、図面を参照して説明する。
【００１７】
図１に示すように、この実施形態に係る転写具Ｘは、転写対象面たる紙面Ｐに転写物たる修正テープＴを転写し、紙面Ｐ上に印字等された文字等（図示省略）を覆い隠すことで、修正テープＴの表面に文字等を重ね書きなどが出来るようにするために用いられるものである。この転写具Ｘは、主として修正テープＴと、この修正テープＴを紙面Ｐに送り出すための送出部２と、この送出部２を保持するホルダ１とから構成される。以下、各部の具体的な構成について説明する。
【００１８】
修正テープＴは、一方の面を接着面とした白色不透明なものであり、紙面Ｐに転写される前は、前記接着面とは反対側の面に紙面Ｐへの転写を補助する剥離テープＴ１が重ね合わせられている。これら修正テープＴと剥離テープＴ１とは略同一の一定幅及び長さを有している。
【００１９】
送出部２は、図１、図２、図６及び図７に示すように、前記修正テープＴの転写を行うための転写ヘッド２１と、修正テープＴを転写ヘッド２１を通じて紙面Ｐに送り出すための送り出しローラ２２と、剥離テープＴ１を巻き取るための巻き取りローラ２３と、転写ヘッド２１と、送り出しローラ２２と、巻き取りローラ２３とを一体的に保持するための一対の側板２４ａ、２４ｂとで構成している。
【００２０】
送り出しローラ２２は、前記修正テープＴと剥離テープＴ１を転写ヘッド２１を通じて紙面Ｐに送り出すためのものであって、図示しない軸部と前記軸部の両側端に起立させた一対の円盤状の軸受け板２２ａ、２２ｂとから構成している。一方の軸受け板２２ａの周縁は、歯車状にギヤ２２ｇを形成している。また、前記軸部の中央部には、水平方向に貫通する貫通孔（図示省略）が形成されており、さらに軸部の外周面には、修正テープＴ及び剥離テープＴ１の一方の端部が接着等により取り付けられている。そして、この軸部には、修正テープＴと剥離テープＴ１とを重ね合わせた状態で巻き付けてある。
【００２１】
一方、巻き取りローラ２３は、前記送り出しローラ２２よりも小さく、前記修正テープＴが転写ヘッド２１を通じて紙面Ｐに送り出された後、修正テープＴから剥離した前記剥離テープＴ１を巻き取るためのものであって、図示しない軸部とこの軸部の両側端に起立させた一対の円盤状の軸受け板２３ａ、２３ｂとから構成している。一方の軸受け板２３ａの周縁は、歯車状にギヤ２３ｇを形成している。また、前記軸部の中央部には、水平方向に貫通する貫通孔（図示省略）が形成されており、さらに軸部の外周面には、剥離テープＴ１の一方の端部が接着等により取り付けられている。そして、前記送り出しローラ２２と巻き取りローラ２３は、前記軸受け板２２ａ及び２３ａに形成されたギヤ２２ｇとギヤ２３ｇとを噛合させており、一方の回転に伴って他方が逆回転するように構成されている。
【００２２】
次に、転写ヘッド２１は、送り出しローラ２２から送り出される修正テープＴ及び剥離テープＴ１のうち修正テープＴを先端２１ｄから紙面Ｐに転写し、転写終了後前記修正テープＴから剥離した前記剥離テープＴ１を巻き取りローラ２３へガイドするものであって、前記修正テープＴと略同一の幅を有している。具体的に説明すると、この転写ヘッド２１は、前記一対の側板２４ａ、２４ｂ同士の間に支持される円筒部２１ａと、この円筒部２１ａから一方向へ突出させた支持板２１ｂと、この支持板２１ｂの両側端部に起立姿勢で設けられた側面視略三角形状をなす一対のガイド板２１ｃとから構成したものである。そして、一対のガイド板２１ｃ同士の間において、送り出しローラ２２から送られてくる修正テープＴ及び剥離テープＴ１を支持板２１ｂの下面側を通過させ、この支持板２１ｂの先端２１ｄで剥離テープＴ１のみを折り返して円筒部２１ａの上縁に案内させて、巻き取りローラ２３に巻き取らせるようにしている。
【００２３】
一対の側板２４ａ、２４ｂは、転写ヘッド２１と、修正テープＴ及び剥離テープＴ１を保持している送り出しローラ２２と、剥離テープ２３を保持している巻き取りローラ２３とを両側から挟んで一体的に組み立てるものであって、一方を第１側板２４ａ、他方を第２側板２４ｂとしている。第１側板２４ａは、長手方向両端部が丸みを帯びた形状の長細い板材を主体として構成される。この第１側板２４ａの内側面２４ａ１の上部端、長手方向中央部にはそれぞれ、送り出しローラ２２の回転軸として機能する第１円筒突部２４ａ２、巻き取りローラ２３の回転軸として機能する第２円筒突部２４ａ３、転写ヘッド２１の円筒部２１ａを保持する第３円筒突部２４ａ４を水平方向に突出させて形成している。また、第１側板２４ａの外側面２４ａ６には、後述するホルダ１１に保持させるための装着孔２４ａ７を形成している。さらに、この第１側板２４ａの長手方向中央部には、下方に向けて突出させた突部（図示省略）を一体に形成しており、この突部（図示省略）に修正テープＴ及び剥離テープＴ１をガイドするための円筒状をなすガイド突起２４ａ５を内向きに突出させて形成している。
【００２４】
一方、第２側板２４ｂは、第１側板２４ａと略同形状をなすものであり、その内側面２４ｂ１における上端部、長手方向中央部には、前記第１円筒突部２４ａ２、第２円筒突部２４ａ３にそれぞれ嵌め込まれる第１円柱突起２４ｂ２、第２円柱突起２４ｂ３を内向きに略水平方向に突出させている。また、この第２側板２４ｂにも第１側板２４ａと同様に転写ヘッド２１の円筒部２１ａを前記第３円筒突部２４ａ４と共に保持する第３円柱突起２４ｂ４を水平方向に突出させて形成している。第２側板２４ｂにも、第１側板２４ａと同様のガイド突起２４ｂ５を設けた突部２４ｂｔを形成している。また、第２側板２４ｂの外側面にも、後述するホルダ１２に保持されるための装着孔２４ｂ７を形成している。
【００２５】
そして、第１側板２４ａの第１円筒突部２４ａ２、第２円筒突部２４ａ３、第３円筒突部２４ａ４に送り出しローラ２２、巻き取りローラ２３、転写ヘッド２１の円筒部２１ａを嵌め込んだ上で、さらに第１円筒突部２４ａ２、第２円筒突部２４ａ３には、第１円柱突起２４ｂ２、第２円柱突起２４ｂ３を挿入し、更に、第３円筒突部２４ａ４に第３円柱突起２４ｂ４を挿入するとともに円筒状のガイド突起２４ａ５にガイド突起２４ｂ５を挿入して、送出部２の組立が完了する。このとき、送り出しローラ２２のギヤ２２ｇと巻き取りローラ２３のギヤ２３ｇとを噛み合わせるとともに、重ね合わせた修正テープＴ及び剥離テープＴ１をガイド突起２４ａ５の下側を通過させるようにする。
【００２６】
ホルダ１は、第１ホルダ要素１１と第２ホルダ要素１２とから構成される。これら第１ホルダ要素１１及び第２ホルダ要素１２は、前記第１ホルダ要素１１及び第２ホルダ要素１２との間に前記送出部２を挟んで転写作業が行えるように保持し組み立てられる合成樹脂一体品の半割構造の構成部材である。ここで、図３（ａ）は第１ホルダ要素１１の内側側面図、同（ｂ）は第２ホルダ要素１２の内側側面図を示している。図４（ａ）は第１ホルダ要素１１の正面図、同（ｂ）は第２ホルダ要素１２の正面図を示している。図５（ａ）は第１ホルダ要素１１の平面図、同（ｂ）は第２ホルダ要素１２の平面図を示している。
【００２７】
第１ホルダ要素１１は、前記送出部２を挟んで保持する本体部１１ａと紙面Ｐと接触する接地部１１ｂとを一体に有している。
【００２８】
本体部１１ａは、第１ホルダ要素１１の外側方へ膨出させた側壁１１ａ１を主体としてなるものである。そして、側壁１１ａ１の内面１１ａＸ側に卵形の縦半分をなす空間１１ａＳを形成している。なお、本体部１１ａは前傾させた姿勢で配置される。本体部１１ａの内面１１ａＸの中央部には、前記送出部２を保持する円錐状をなす円錐突部１１ａ２を内側方へ向けて略水平方向に突出させて形成し、また、内面１１ａＸの上端部及び下端部には、第２ホルダ要素１２との組み立てのための一対の円筒状をなす係合突部１１ａ３を内側方へ向けて略水平方向に突出させて形成している。そして、側壁１１ａ１の前端部を一部切り欠いて、開口１１ａ４を形成している。この開口１１ａ４は、側壁１１ａ１に連続して内向きに突出する上片１１ａ５、下片１１ａ６、側片１１ａ７によって包囲されている。なお、前記側壁１１ａ１の内周縁には、第２ホルダ要素１２と嵌め合わされる組み立て用の突片１１ａ８を内側方へ突出させて形成している。
【００２９】
接地部１１ｂは、前記側壁１１ａ１の外側面１１ａＹから連続して下方外側へ突出させて形成したものであり、その下端部１１ｂ１を部分円弧状として丸みを帯びさせている。接地部１１ｂの前縁は、本体部１１ａの側壁１１ａ１における下縁から上方へ凸となるアーチ形状をなして連続させてある。
【００３０】
一方、第２ホルダ要素１２は、第１ホルダ要素１１と略同形状をなすものであり、本体部１２ａと接地部１２ｂとで構成されている。本体部１２ａは、第１ホルダ要素１１と同様に、第２ホルダ要素１２の外側方へ膨出させた側壁１２ａ１を主体とし、側壁１２ａ１の内面１２ａＸ側に卵形の縦半分をなす空間１２ａＳを形成している。なお、本体部１２ａは前傾させた姿勢で配置される。
【００３１】
そして、本体部１２の内面１２ａＸの中央部には、送出部２を保持するための円錐状をなす円錐突部１２ａ２と、第１ホルダ要素１１の係合突部１１ａ３に嵌め込まれる一対の係合突起１２ａ３を内側方へ向けて略水平方向に突出させて形成している。そして、第１ホルダ要素１１と同様に側壁１２ａ１の前端部を一部切り欠いて開口１２ａ４を形成し、この開口１２ａ４は、側壁１２ａ１に連続して内向きに突出する上片１２ａ５、下片１２ａ６、側片１２ａ７で包囲されている。また、前記側壁１２ａ１の内周縁には、第１ホルダ要素１２の突片１１ａ８と嵌め合わされる組み立て用の凹部１２ａ８を形成している。
【００３２】
また、接地部１２ｂも第１ホルダ要素１１の接地部１１ｂと略同形状をなし、前記側壁１２ａ１の外側面１２ａＹより連設して外側下方へ突出させて形成したものであり、その下端部１２ｂ１を部分円弧状として丸みを帯びさせている。接地部１２ｂの前縁は、本体部１２ａの側壁１２ａ１における下縁から上方へ凸となるアーチ形状をなして連続させてある。
【００３３】
そして、第１ホルダ要素１１の係合突部１１ａ３、組み立て用の突片１１ａ８をそれぞれ対応する第２ホルダ要素１２の係合突起１２ａ３、組み立て用の凹部１２ａ８に嵌め込むことによって、ホルダ１が構成されるが、第１ホルダ要素１１の空間１１ａＳと第２ホルダ要素１２ａｓの空間１２ａＳとから構成される中空部分を、送出部２を収容する収納部１４としている。
【００３４】
このようなホルダ１に送出部２を保持させるには、第１ホルダ要素１１と第２ホルダ要素１２とを組み立てる前に、第１ホルダ要素１１の円錐突部１１ａ２を送出部２の第１側面板２４ａにおける外側面２４ａ６に形成した挿着孔２４ａ７に挿入し、転写ヘッド２１を開口１１ａ４から突出させる。そして、第２ホルダ要素１２の円錐突起１２ａ２を前記送出部２の第２側板２４ｂに形成された挿着孔２４ｂ７に挿入させると同時に、第１ホルダ要素１１の内面１１ａＸの係合突部１１ａ３に、第２ホルダ要素１２内面１２aＸの係合突起１２ａ３を挿入する。そして、第１ホルダ要素１１の前記組み立て用の突片１１ａ８と、第２ホルダ要素１２の前記組み立て用の凹部１２ａ８とが嵌め合わされることで第１ホルダ要素１１及び第２ホルダ要素１２が組み立てられる。このように組み立てられることによって、前記収納部１４には送出部２が保持され、転写ヘッド２１は、第１ホルダ要素１１及び第２ホルダ要素１２の本体部１１ａ、１２ａに形成された開口１１ａ４、１２ａ４より突出し、前記開口１１ａ４、１２ａ４の周囲の上片１１ａ５、１２ａ５下片１１ａ６、１２ａ６側片１１ａ７、１２ａ７によって挟み込まれることとなり、ホルダ１に安定的に保持されて転写具Ｘの組み立てが完了する。なお、図６には転写具Ｘの分解斜視図、図７には転写具Ｘの分解平面図、図８（ａ）には転写具Ｘの組み立て正面図、同（ｂ）には転写具Ｘの組み立て側面図、同（ｃ）には転写具Ｘの組み立て背面図を示す。
【００３５】
また、このように組み立てられた転写具Ｘでは、第１ホルダ要素１１及び第２ホルダ要素１２の本体部１１ａ、１２ａの下縁から接地部１１ｂ、１２ｂの前縁に亘るアーチ状の領域を、紙面Ｐから浮上する浮上部１５としている。また、第１ホルダ要素１１及び第２ホルダ要素１２に形成された接地部１１ｂ、１２ｂはいずれも、第１ホルダ要素１１及び第２ホルダ要素１２に形成した本体部１１ａ、１２ａの外側面１１ａＹ、１２ａＹよりも外側方に位置付けられることになる。さらに、第１ホルダ要素１１の側壁１１ａ１と第２ホルダ要素１２の側壁１２ａ１の前方を向く領域を、この転写具Ｘの使用時に使用者が手で持つための把持部１３としている。
【００３６】
このようにして構成される転写具Ｘを紙面Ｐ上に載置すると、図８に示すように転写ヘッド２１の先端２１ｄ、接地部１１ｂ、１２ｂの下端部１１ｂ１、１２ｂ１の合計３箇所が紙面Ｐに接触して自立することになる。そして、この状態で使用者がホルダ１の把持部１３に手を掛けて転写具Ｘ全体を紙面Ｐに沿って転写ヘッド２１側から接地部１１ｂ、１２ｂ側へスライド移動させると、転写ヘッド２１の先端２１ｂで修正テープＴが摩擦により紙面Ｐに転写され、同時に剥離テープＴ１と分離し、それに伴って送り出しローラ２２が回転して修正テープＴ及び剥離テープＴ１を順次送り出すとともに、巻き取りローラ２３が剥離テープＴ１を巻き取って回収する。その際に、送り出しローラ２２と転写ヘッド２１の先端２１ｂとの間で修正テープＴ及び剥離テープＴ１は、第１側板２４ａ及び第２側板２４ｂのガイド突起２４ａ５、２４ｂ５によって、テンションを加えられた状態でガイドされ、転写ヘッド２１の先端２１ｄと巻き取りローラ２３との間で剥離テープＴ１は、転写ヘッド２１の円筒部２１ａによってテンションを加えられた状態でガイドされる。
【００３７】
以上のように、本実施形態の転写具Ｘは、紙面Ｐに転写される修正テープＴと、この修正テープＴ及び重ね合わせた剥離テープＴ１を保持する送出部２と、この送出部２を保持するホルダ１から構成したものである。そして、前記送出部２に保持された転写ヘッド２１を紙面Ｐに接触させて修正テープＴを転写する際には、紙面Ｐと接触する接地部１１ｂ、１２ｂをホルダ１に２箇所形成しているために、転写具Ｘがこれら３箇所の接触部位を全て含む面で支持させた状態で使用することができ、ホルダ１に加えた操作力が転写ヘッド２１に偏ることなく各接地部１１ｂ、１２ｂにも分散することになり、転写具Ｘのスライド進行方向のみならずそれと直交する方向への両方の力のバランスを取ることができる。この結果、転写ヘッド２１を紙面Ｐに対して適正に接触させることができることから、軽い力でホルダ１を押さえて使用しても、修正テープＴを紙面Ｐに確実に転写することができ、転写ヘッド２１等の破損も防ぐことができる。
【００３８】
ホルダ１に、使用者が手で持ち得る把持部１３を形成しており、接地部１１ｂ、１２ｂを、把持部１３の外側面よりも外側方に形成することにより、転写具Ｘのスライド移動時における適切な姿勢を安定させることができる。また、ホルダ１の進行方向に沿った一端部側に転写ヘッド２１を形成し、他端部に前記接地部１１ｂ、１２ｂを形成していることにより、転写ヘッド２１と各接地部１１ｂ、１２ｂとの距離が最大限に保持されるので転写具Ｘのさらなる安定正が維持される。
【００３９】
さらに、接地部１１ｂ、１２ｂにおいては、紙面Ｐと接触する下端部１１ｂ１、１２ｂ１を、丸みを帯びた形状としているため、転写具Ｘをよりスムーズにスライド移動させることができる。
【００４０】
さらにまた、ホルダ１において、第１ホルダ要素１１及び第２ホルダ要素１２の本体部１１ａ、１２ａの下縁から接地部１１ｂ、１２ｂの前縁に亘るアーチ状の領域を、紙面Ｐから浮上する浮上部１５として形成しているので、転写作業時に転写ヘッド２１の移動方向における紙面Ｐが浮上部１５を通じて視認し得る状態となってホルダ１に隠されることがないので、紙面Ｐ上の所望の箇所に連続して修正テープＴを転写することができる。
【００４１】
また、ホルダ１は、第１ホルダ要素１１及び第２ホルダ要素１２からなる半割構造をしており、第１ホルダ要素１１と第２ホルダ要素１２との間に送出部２を挟んで保持しているため、修正テープＴを使用し終わった際には、新しい修正テープＴを備えた送出部２と容易に交換ができ、構造の簡単化と省資源化を図ることもできることとなる。
【００４２】
なお、本発明は上述した実施形態に限られるものではない。まず例えば第１変形例図９（ａ）に側面図、同（ｂ）に背面図を示す。なお、以下の説明において、特に説明を付していない場合は、上述の実施形態と同一の符号を用いる。
【００４３】
本変形例において第１ホルダ要素１１１と第２ホルダ要素１１２は、これらの本体部１１１ａ、１１２ａの間に送出部１２０の構成部品である転写ヘッド２１、送り出しローラ２２、巻き取りローラ２３を挟んで直接保持している。なお、転写ヘッド２１の先端２１ｄは、ホルダ１１０の前下端部から突出させてある。また、送り出しローラ２２及び巻き取りローラ２３は、ホルダ１１０に回転可能に保持されている。また、第１ホルダ要素１１１及び第２ホルダ要素１１２の各本体部１１１ａ、１１２ａの前端部からは、外側下方へ屈曲させて側面視部分円弧状をなす接地部１１１ｂ、１１２ｂを連続的に形成している。また、本体部１１１ａ、１１２ａの前端部側の下縁と接地部１１１ｂ、１１２ｂの前縁とをアーチ状に連続させて、この部位を浮上部１１５としている。また、本体部１１１ａ、１１２ａの外側面及び前方を向く領域をこの転写具Ｘ１の使用時に使用者が手で持つための把持部１１３としている。なお、これら接地部１１１ｂ、１１２ｂは、この把持部１１３よりも外側方に形成される。
【００４４】
このような転写具Ｘ１も上述した転写具Ｘと同様に紙面Ｐ上に載置すると、転写ヘッド２１の先端２１ｄ、接地部１１１ｂ、１１２ｂの下端部１１１ｂ１、１１２ｂ１の合計３箇所が紙面Ｐに接触する。そして、使用者がこの転写具Ｘ１の把持部１１３を手で持って転写ヘッド２１側から接地部１１１ｂ、１１２ｂ側へ転写具Ｘ１をスライド移動すると、そのスライド進行方向だけでなく直交する方向へも安定した姿勢を維持することができ、軽い力で確実な転写作業が行うことができる。また、前記浮上部１１５をホルダ１１０に形成していることにより、修正テープＴを紙面Ｐに転写する際には、転写する範囲が前記浮上部１１５を通じて進行方向の紙面Ｐに印字等された文字等を視認できることから、転写が必要な範囲に適切に修正テープＴを転写することができる。なお、本変形例により奏される他の効果は、上述した実施形態のものと同様である。
【００４５】
また、図１０（ａ）に側面図、同（ｂ）に背面図を示す第２変形例は、接地部として車輪を適用した転写具Ｘ２である。この転写具Ｘ２は、車輪２１１ｃ、２１２ｃを備えたペンタイプのホルダ２１０と、このホルダ２１０に保持された送出部２２０とを備えている。このホルダ２１０は、上述した第１変形例の転写具Ｘ１と同様の送出部２２０の構成部品である送り出しローラ２２及び巻き取りローラ２３をホルダ２１０を構成する第１ホルダ要素２１１及び第２ホルダ要素２１２の本体部２１１ａ及び２１２ａに直接挟んで、回転可能に保持している。また、転写ヘッド２１も前記転写具Ｘ１と同様に、ホルダ２１０の前下端部から突出させてある。なお、この転写具Ｘ２は、上述した実施形態や変形例のものとは逆に車輪２１１ｃ、２１２ｃ側から転写ヘッド２１側へスライド移動させものであるので、ホルダ２１０に保持している修正テープＴは、転写ヘッド２１の上方から下方へ通過させている。そして、第１ホルダ要素２１１及び第２ホルダ要素２１２の各本体部２１１ａ、２１２ａの前端部には、前記本体部２１１ａ、２１２ａの外側面に一対の接地部たる円盤状をなす車輪２１１ｃ、２１２ｃが回転軸２１１ｄを介して回転可能に装着している。すなわち、これら車輪２１１ｃ、２１２ｃの周面を紙面Ｐと接触することにより接地部として機能させている。また、本体部２１１ａ、２１２ａの外側面および前方を向く領域を、この転写具Ｘ２を使用する際に使用者が持つための把持部２１３としている。なお、これら車輪２１１ｃ、２１２ｃは、この持部２１３より外側方に位置付けてある。
【００４６】
このような転写具Ｘ２は、使用者が把持部２１３を手に持って、転写ヘッド２１の先端２１ｄを紙面Ｐに接触させると同時に２つの車輪２１１ｃ、２１２ｃも紙面Ｐと接触させることができるので、転写作業を行う方向に転写具Ｘ２をスライド移動させる際には、紙面Ｐに対する合計３箇所での接地により安定性が高く、また、車輪２１１ｃ、２１２ｃが回転することによって、軽い力でスムーズなスライド移動を実現することができる。また、車輪２１１ｃ、２１２ｃは、本体部２１１ａ、２１２ａよりも外側方に装着してあるので、転写具Ｘ２の進行方だけでなく直交する方向への両方の力のバランスがとれて、転写具Ｘ２の安定した姿勢を維持することができるものである。
【００４７】
なお、本変形例に基づく他の効果も、上述した実施形態や第１変形例による効果と略同様である。
【００４８】
なお、上述した実施形態や各変形例の送出部においては、送り出しローラ及び巻き取りローラとをギヤ同士を噛み合わせて回転させるようにしているが、両ローラにゴムベルト等を掛け渡して回転させるように構成しても構わない。また、転写具のスライド移動方向は、送り出しローラから引き出される修正テープを組み立てる際に、修正テープが転写ヘッドの上方から下方へ通過するか、下方から上方へ通過するかによって変更することができる。また、前記実施形態や第１変形例の転写具における接地部としては、第２変形例のような車輪を適用することも可能である。また、転写物には、上述した修正テープ以外にも、粘着テープや、粘着を有しないテープ等のテープ類及び、個体又は液体のりまたは、接着剤などの種々のものを適用することができる。
【００４９】
その他、本発明は、以上に詳述した実施形態に限られるものではなく、各部の具体的構成や形状、素材等は、本発明の趣旨を逸脱しない範囲で適宜変更することができる。
【図面の簡単な説明】
【００５０】
【図１】本発明の実施形態に係る転写具を部分的に示す断面図。
【図２】同転写具における送出部を示す側面図。
【図３】同転写具の第１ホルダ要素及び第２ホルダ要素を示す内側面図。
【図４】同正面図。
【図５】同平面図。
【図６】同転写具を示す分解斜視図。
【図７】同転写具を示す分解平面図。
【図８】同転写具を平面的に示す図。
【図９】本発明の第１変形例を示す図。
【図１０】同第２変形例を示す図。
【符号の説明】
【００５１】
１…ホルダ
２、１２０、２２０…送出部
１１、１１１、２１１…第１ホルダ要素
１２、１１２、２１２…第２ホルダ要素
１１ａＹ…外側面
１２ａＹ…外側面
１１ｂ、１１１ｂ…接地部
１２ｂ、２１１ｂ…接地部
１３…把持部
１５…浮上部
２１…転写ヘッド
２１１ｃ…車輪
２１２ｃ…車輪
Ｐ…転写対象面（紙面）
Ｔ…転写物（修正テープ）
Ｘ、Ｘ１、Ｘ２…転写具
【図１】
2005067153.tif 000003
【図２】
2005067153.tif 000004
【図３】
2005067153.tif 000005
【図４】
2005067153.tif 000006
【図５】
2005067153.tif 000007
【図６】
2005067153.tif 000008
【図７】
2005067153.tif 000009
【図８】
2005067153.tif 000010
【図９】
2005067153.tif 000011
【図１０】
2005067153.tif 000012